(57)【特許請求の範囲】
【請求項１】
主コンデンサと、複数の主スイッチ素子と、複数のインダクタンス素子と、複数のダイオード素子とを有し、
前記各主スイッチ素子には、前記ダイオード素子がそれぞれ逆並列接続され、
前記各インダクタンス素子の一端は、前記主スイッチ素子及び前記ダイオード素子を介して、前記主コンデンサの正電圧側と負電圧側とに接続され、
他端が、電源から負荷に電力を供給するパワーラインに接続されるように構成されたアクティブフィルタ装置であって、
制御装置と、複数の共振用チョークと、複数の副スイッチ素子と、複数の共振用コンデンサを有し、
前記共振用コンデンサは前記各主スイッチ素子に並列接続され、
前記各主スイッチ素子と前記各副スイッチ素子は、前記制御装置で制御されるように接続され、
前記各インダクタンス素子の一端に、前記共振用チョークの一端がそれぞれ１個ずつ接続され、各共振用チョークの他端は、前記副スイッチ素子を介して、前記主コンデンサの正電圧側と負電圧側に接続され、
一次巻線と、該一次巻線と磁気結合した二次巻線とを有し、
前記副スイッチ素子と前記インダクタンス素子の間には、前記一次巻線がそれぞれ挿入され、
前記二次巻線に誘起された電圧で、前記主コンデンサを充電できるように構成されたことを特徴とするアクティブフィルタ装置。
【請求項２】
前記二次巻線に現れた電流を全波整流し、前記主コンデンサを充電するように構成されたことを特徴とする請求項１記載のアクティブフィルタ。
【請求項３】
前記二次巻線はセンタータップ型に構成され、整流器を介して前記主コンデンサに接続されたことを特徴とする請求項２記載のアクティブフィルタ。
【請求項４】
前記二次巻線にはダイオードブリッジ回路が設けられ、該ダイオードブリッジ回路を介して、前記主コンデンサを充電できるように構成されたことを特徴とする請求項２記載のアクティブフィルタ。
【請求項５】
請求項１乃至請求項４のいずれか１項記載のアクティブフィルタ装置を制御する制御方法であって、
前記共振用チョークと前記共振用コンデンサの間に共振電流が流れ、
前記共振用コンデンサの電圧が小さくなったときに、前記制御装置は前記主スイッチ素子を導通させることを特徴とする制御方法。
【発明の詳細な説明】
【０００１】
【発明の属する技術分野】
本発明はアクティブフィルタ装置にかかり、特に、非線形負荷に電力を供給する電源の負担を軽くするアクティブフィルタ装置に関する。
【０００２】
【従来の技術】
従来より、電源ラインの高周波抑制や力率改善にアクティブフィルタ装置が用いられている。
図１２の符号１２４は従来技術のアクティブフィルタ装置であり、三相電源１０１から負荷１０３に電力を供給する三相パワーライン１０２に接続されている。
【０００３】
アクティブフィルタ装置１２４は、制御装置１２３と、３個のインダクタンス素子１０９1〜１０９3と、６個のスイッチ装置１１０〜１１５と、１個の主コンデンサ１２２とを有している。
【０００４】
スイッチ装置１１０〜１１５内には、主スイッチ素子(ここではＩＧＢＴが使用されている。)１１０a〜１１５aとダイオード素子１１０b〜１１５bとが１個ずつ設けられており、各ダイオード素子１１０b〜１１５bは、各主スイッチ素子１１０a〜１１５aにそれぞれ逆並列接続されている。
【０００５】
スイッチ装置１１０〜１１５のうち、３個のスイッチ素子１１０〜１１２は、高電圧側が主コンデンサ１２２の正極側に共通に接続され、低電圧側がアノード側がインダクタンス素子１０９1〜１０９3の一端にそれぞれ接続されている(従って、ダイオード素子１１０b〜１１２bはカソード側が正極側に接続され、アノード側がインダクタンス素子１０９1〜１０９3に接続されている)。
【０００６】
他の３個のスイッチ素子１１３〜１１５は、低電圧側が主コンデンサ１２２の負極側に共通に接続され高電圧側が、インダクタンス素子１０９1〜１０９3の一端に、上記３個のスイッチ素子１１０〜１１２と一緒に、それぞれ接続されている。
【０００７】
三相パワーライン１０２がＲ相、Ｓ相、Ｔ相で構成されているものとすると、各インダクタンス素子１０９1〜１０９3の他端は、それぞれＲ相、Ｓ相、Ｔ相に接続されると共に、キャリア成分除去のためのコンデンサ１１９に接続されている。
【０００８】
また、各スイッチ装置１１０〜１１５は制御装置１２３に接続されており、制御装置１２３によって、内部の各スイッチ素子１１０a〜１１５aが制御され、導通・遮断できるように構成されている。
【０００９】
各主スイッチ素子１１０a〜１１５aが、電流が流れた状態で遮断する際には、インダクタンス素子９1〜９3に起電力が生じるため、その起電力で、ダイオード素子１１０b〜１１５bを介して、主コンデンサ１２２を充電しておき、先ず、主コンデンサ１２２から負荷１０３に電流が供給できる状態にしておく。
【００１０】
負荷１０３が、主コンデンサインプット型回路や整流器等の非線形負荷である場合、高調波成分が発生し、三相電源１０１の負担が大きくなる。三相パワーライン１０２には、電流センサ１０４、１０５が挿入されており(図１２では、Ｒ相とＴ相に挿入されている。)、この電流センサ１０４、１０５によって負荷１０３の高調波成分を検出し、アクティブフィルタ１２４内の主コンデンサ１２２から電流を供給又は吸収させ、負荷１０３の高調波電流を打ち消しており、その結果、三相電源１０１は、正弦波状の電流を供給すれば済むようにし、三相交流電源１０１の負担を一定にしている。
【００１１】
しかし、このアクティブフィルタ装置１２４では、主スイッチ素子１１０a〜１１５aがオン／オフする際の損失が無視できない。図１３は、主スイッチ素子１１０a〜１１５aが動作したときの電圧又は電流波形を示しており、同図符号Ａはゲート電圧の波形、符号Ｃはコレクタ電流の波形、Ｄはコレクタ電圧の波形を示している。
【００１２】
遮断状態から導通状態に転じる間の遷移時間Ｔ1と、遮断状態から導通状態に転じる間の遷移時間Ｔ2において、主スイッチ素子１１０a〜１１５aの両端の電圧が大きい状態で電流が流れており、従って、損失が大きくなっている。
【００１３】
また、配線の寄生インダクタンスやダイオード素子のリカバリー特性により、図１３の符号Ａ〜Ｃの波形のように、主スイッチ素子１１０a〜１１５aが導通する際にサージ電圧が発生してしまう。このサージ電圧はノイズ発生源となるばかりでなく、損失を増大させるという問題がある。
【００１４】
このように、従来技術のアクティブフィルタ装置１２４では、高効率化は困難であった。
【００１５】
【発明が解決しようとする課題】
本発明は上記従来技術の不都合を解決するために創作されたものであり、その目的は、損失が少なく、ノイズが小さいアクティブフィルタ装置を提供することにある。
【００１６】
【課題を解決するための手段】
上記課題を解決するために、請求項１記載の発明は、主コンデンサと、複数の主スイッチ素子と、複数のインダクタンス素子と、複数のダイオード素子とを有し、前記各主スイッチ素子には、前記ダイオード素子がそれぞれ逆並列接続され、前記各インダクタンス素子の一端は、前記主スイッチ素子及び前記ダイオード素子を介して、前記主コンデンサの正電圧側と負電圧側とに接続され、他端が、電源から負荷に電力を供給するパワーラインに接続されるように構成されたアクティブフィルタ装置であって、制御装置と、複数の共振用チョークと、複数の副スイッチ素子と、複数の共振用コンデンサを有し、前記共振用コンデンサは前記各主スイッチ素子に並列接続され、前記各主スイッチ素子と前記各副スイッチ素子は、前記制御装置で制御されるように接続され、前記各インダクタンス素子の一端に、前記共振用チョークの一端がそれぞれ１個ずつ接続され、該共振用チョークの他端は、前記副スイッチ素子を介して、前記主コンデンサの正電圧側と負電圧側に接続されたことを特徴とする。
【００１７】
請求項２記載の発明は、請求項１記載のアクティブフィルタであって、一次巻線と、該一次巻線と磁気結合した二次巻線とを有し、前記副スイッチ素子と前記インダクタンス素子の間には、前記一次巻線がそれぞれ接続され、前記二次巻線に誘起された電圧で、前記主コンデンサを充電できるように構成されたことを特徴とする。
【００１８】
請求項３記載の発明は、請求項２記載のアクティブフィルタであって、前記二次巻線に現れた電流を全波整流し、前記主コンデンサを充電するように構成されたことを特徴とする。
【００１９】
請求項４記載の発明は、請求項３記載のアクティブフィルタであって、前記二次巻線はセンタータップ型に構成され、整流器を介して前記主コンデンサに接続されたことを特徴とする。
【００２０】
請求項５記載の発明は、請求項３記載のアクティブフィルタであって、前記二次巻線にはダイオードブリッジ回路が設けられ、該ダイオードブリッジ回路を介して、前記主コンデンサを充電できるように構成されたことを特徴とする。
【００２１】
請求項６記載の発明は、請求項１乃至請求項５のいずれか１項記載のアクティブフィルタ装置を制御する制御方法であって、前記共振用チョークと前記共振用コンデンサの間に共振電流が流れ、前記共振用コンデンサの電圧が小さくなったときに、前記制御装置は前記主スイッチ素子を導通させることを特徴とする。
【００２２】
本発明は上記のように構成されており、主コンデンサと、複数の主スイッチ素子と、複数のインダクタンス素子と、複数のダイオード素子とを有しており、各主スイッチ素子には、ダイオード素子がそれぞれ逆並列接続されている。
【００２３】
また、各インダクタンス素子の一端は、主スイッチ素子及びダイオード素子を介して、主コンデンサの正電圧側と負電圧側とに接続され、各インダクタンス素子の他端は、電源から負荷に電力を供給するパワーラインに接続されるようになっている。
【００２４】
そして、このアクティブフィルタ装置には、制御装置と、複数の共振用チョークと、複数の副スイッチ素子と、複数の共振用コンデンサを有しており、共振用コンデンサは各主スイッチ素子に並列接続され、また、各主スイッチ素子と各副スイッチ素子は、制御装置で制御されるように接続されている。
【００２５】
更に、各インダクタンス素子の一端には、共振用チョークの一端がそれぞれ１個ずつ接続され、各共振用チョークの他端は、副スイッチ素子を介して、主コンデンサの正電圧側と負電圧側に接続されている。
【００２６】
従って、主スイッチ素子を制御し、主コンデンサを充放電させられるので、アクティブフィルタ装置によって負荷変動による電流変動を吸収し、電源の負担を軽減させられるようになっている。
【００２７】
その際、上記副スイッチ素子を導通させると、共振用チョークと共振用コンデンサの間に共振電流を流すことができる。共振用電流により、共振用コンデンサに現れる電圧が小さくなったときに主スイッチ素子を導通させると、主スイッチ素子の損失が小さくなる。
【００２８】
また、一次巻線と、該一次巻線と磁気結合した二次巻線とを設け、副スイッチ素子とインダクタンス素子の間に、一次巻線をそれぞれ挿入し、一次巻線に流れる電流が変化し、二次巻線に誘起電圧が誘起されたときに、その誘起された電圧で、主コンデンサを充電できるように構成しておくと、共振コンデンサから放出される共振電流によって、主コンデンサを充電することが可能になる。
【００２９】
二次巻線をセンタータップ型に構成し、整流器を設けておくと、二次巻線に誘起される電圧の極性よらずに主コンデンサを充電することができる。
【００３０】
【発明の実施の形態】
本発明の実施形態を図面を参照して説明する。
図１の符号２４は本発明のアクティブフィルタ装置であり、制御装置２５を有している。
【００３１】
制御装置２５には、三相電源１と負荷３とを接続する三相パワーライン２のＲ相とＴ相に取り付けられた電流センサ４、５が接続されており、負荷３に流れる電流を検出できるようになっている。
【００３２】
また、このアクティブフィルタ装置２４は、コンデンサ１９(三相パワーライン２のキャリア成分除去用)と、３個のインダクタンス素子９1〜９3と、６個のスイッチ装置１０〜１５及び副スイッチ素子３７〜４２と、１個の主コンデンサ２２と、３個の共振用チョーク(共振用のインダクタンス素子)３４〜３６と、３個の一次巻線３１a〜３３a及び二次巻線３１b〜３３bとを有している。
【００３３】
スイッチ装置１０〜１５のうち、３個のスイッチ装置１０〜１２の一端は主コンデンサ２２の正極側に共通に接続され、他端はインダクタンス素子９1〜９3の一端にそれぞれ接続されている。
【００３４】
他の３個のスイッチ装置１３〜１５の一端は、主コンデンサ２２の負極側に共通に接続され、他端は、高電圧側のスイッチ装置１０〜１５とインダクタンス素子９1〜９3とが接続された部分にそれぞれ接続されている。
【００３５】
スイッチ装置１０〜１５内には、主スイッチ素子１０a〜１５aとダイオード素子１０b〜１５bと、共振用コンデンサ１０c〜１５cとが１個ずつ設けられている。各ダイオード素子１０b〜１５bは、主スイッチ素子１０a〜１５aにそれぞれ逆並列接続されている。また、各共振用コンデンサ１０c〜１５cは、主スイッチ素子１０a〜１５a及びダイオード素子１０b〜１５bに対し、並列に接続されている。
【００３６】
主スイッチ素子１０a〜１５aには、ここではＩＧＢＴが用いられており(電力用ＭＯＳＦＥＴやバイポーラトランジスタを用いてもよい。)、各スイッチ素子１０a〜１５aの高電圧側にダイオード素子１０b〜１５bのカソード側が接続され、低電圧側にアノード側が接続されている(逆並列接続)。
【００３７】
主コンデンサ２２の正極側に接続された３個のスイッチ装置１０〜１２では、各主スイッチ素子１０a〜１２aの高電圧側(各ダイオード素子１０b〜１２bのカソード側)が主コンデンサ２２の正電圧側に共通に接続され、低電圧側(ダイオード素子１０b〜１２bのアノード側)がインダクタンス素子９1〜９3の一端にそれぞれ接続されている。
【００３８】
主コンデンサ２２の負極側に接続された３個のスイッチ装置１３〜１５では、各主スイッチ素子１３a〜１５aの低電圧側(各ダイオード素子１３b〜１５bのカソード側)が主コンデンサ２２の負極側に共通に接続され、高電圧側(ダイオード素子１０b〜１２bのアノード側)が、インダクタンス素子９1〜９3の一端それぞれに接続されている。
【００３９】
三相パワーライン２がＲ相、Ｓ相、Ｔ相で構成されているものとすると、各インダクタンス素子９1〜９3の他端は、それぞれＲ相、Ｓ相、Ｔ相に接続されている。
【００４０】
他方、６個の副スイッチ素子３７〜４２のうち、３個の副スイッチ素子３７〜３９は、高電圧側が主コンデンサ２２の正極側に共通に接続され、低電圧側は、共振用チョーク３４〜３６の一端にそれぞれ接続されている。
【００４１】
他の３個の副スイッチ素子４０〜４２は低電圧側が主コンデンサ２２の負極側に共通に接続され、高電圧側は、上記の副スイッチ素子３７〜３９と共振用チョーク３４〜３６とが接続された部分にそれぞれ接続されている。
【００４２】
各共振用チョーク３４〜３６の他端は、一次巻線３１a〜３３aを介して、インダクタンス素子９1〜９3とスイッチ装置１０〜１５とが接続された部分にそれぞれ接続されている。
【００４３】
各一次巻線３１a〜３３aは、二次巻線３１b〜３３bと互いに磁気結合した状態でトランス内部に設けられており、一次巻線３１a〜３３aに流れる電流が変化する際に、二次巻線３１b〜３３bに電圧が誘起されるように構成されている。
【００４４】
各二次巻線３１b〜３３bはセンタータップ型の構成になっており、３つの出力端子のうち、二次巻線３１b〜３３bの中点は、主コンデンサ２２の負極側に共通に接続されており、他の２個の端子はダイオード４３〜４８で構成される整流器に接続されている。
【００４５】
各二次巻線３１b〜３３bの端子には、ダイオード４３〜４８のアノード側がそれぞれ接続されており、それらダイオード４３〜４８のカソード側は、主コンデンサ２２の正極側に共通に接続されている。従って、各二次巻線３１b〜３３bに電圧が誘起されると、その電圧の極性に従ってダイオード４３〜４８が順バイアスされ、誘起された電圧の極性によらずに、主コンデンサ２２を充電できるように構成されている。
【００４６】
上記の主スイッチ素子１０a〜１５a及び副スイッチ素子３７〜４２は、制御装置２５に接続されており、制御装置２５によって導通と遮断が制御されるように構成されている。
【００４７】
従って、このアクティブフィルタ装置２４では、上記従来技術のアクティブフィルタ装置１２４と同様に、制御装置２５が各主スイッチ素子１０〜１５を制御し、三相電源１によって主コンデンサ２２を充放電させられるようになっている。
【００４８】
また、制御装置２５には、三相パワーライン２のＲ相及びＴ相に挿入されたセンサー４、５が接続されており、制御装置２５が負荷変動を検出すると、下記のように主スイッチ素子１０a〜１５a及び副スイッチ素子３７〜４２を制御し、負荷変動を吸収するように構成されている。
【００４９】
図２は、Ｒ相が正電圧、Ｓ相が負電圧になっており、１個の主スイッチ素子１４aが導通しており、インダクタンス素子９1に蓄積されたエネルギーが、Ｒ相に供給されている状態を示している。
【００５０】
この状態では、インダクタンス素子９1が電源として動作する結果、図中の矢示するように、
インダクタンス素子９1の正電圧側→Ｒ相→負荷３→Ｓ相→インダクタンス素子９2→主スイッチ素子１４a→ダイオード素子１３b→インダクタンス素子９1の負電圧側
の順序で電流Ｉ1が流れる。
【００５１】
このとき、インダクタンス素子９1の負電圧が誘起されている側の端子は、主コンデンサ２２の負極側の端子の電圧と略等しくなっている(正確には、主コンデンサ２２の負電圧側の端子よりもダイオード素子１３bの電圧降下分だけ低い電圧になっている)。従って、そのインダクタンス素子９1の負電圧側と主コンデンサ２２の正極側の間に接続された共振用コンデンサ１０bは主コンデンサ２２と略等しい電圧に充電されている。
【００５２】
その状態で副スイッチ素子３７が導通すると、主コンデンサ２２から、図３の符号Ｉ2に示す電流がインダクタンス素子９1に供給され始める。
【００５３】
電流Ｉ2は一次巻線３１aを流れ、二次巻線３１bに電圧を誘起させ、主コンデンサ２２を充電する。このアクティブフィルタ装置２４では、一次巻線３１a〜３３aと、各一次巻線３１a〜３３aと磁気結合した二次巻線３１b〜３３bとは、巻線比が１：ｎ(１＜ｎ)にされており、従って、一次巻線３１a〜３３aに生じた起電力の大きさと、二次巻線３１b〜３３bに誘起された起電力の大きさとは、１：ｎになるようにされている。
【００５４】
二次巻線３１b〜３３bに電流が流れると、その二次巻線３１b〜３３bは、主コンデンサ２２の電圧にクランプされる。
その結果、一次巻線３１a〜３３a側は、主コンデンサ２２の電圧の１／ｎ倍の電圧でクランプされる。
【００５５】
共振用チョーク３４及び一次巻線３１aの直列接続回路の両端には、副スイッチ素子３７の電圧降下を無視すると、主コンデンサ２２の電圧Ｅ0が印加されており、従って、共振用チョーク３４には、主コンデンサ２２の電圧Ｅ0から一次巻線３１に生じた電圧Ｅ0／ｎを差し引いた電圧(１−１／ｎ)・Ｅ0が印加されることになる。
その結果、電流Ｉ2は、共振用チョーク３４のインダクタンス値をＬaとすると、(１−１／ｎ)・Ｅ0／Ｌa の傾斜に従って増加することになる。
【００５６】
この傾斜は、共振用チョーク３４に、二次巻線３１bと磁気結合した一次巻線３１aを設けなかった場合よりも、Ｅ0／ｎの値の分だけ電流Ｉ2の増加率が少なくなっており、従って、主コンデンサ２２の電圧値を低くしなくても、電流Ｉ2をゆっくり増加させることができる。
【００５７】
図９に、アクティブフィルタ装置２４内を流れる電流波形及び、内部に現れる電圧波形を示す。符号ｇは、副スイッチ素子３７に流れる電流波形であり、この電流波形ｇは共振用チョーク３４に流れる電流波形と共通している。
【００５８】
また、符号ｈはインダクタンス素子９1に流れる電流波形であり、この図９では、副スイッチ素子３７が導通し、電流Ｉ2が流れ始める時刻が符号ｔ0で示されている。
【００５９】
時刻ｔ0後、電流Ｉ2は上記の傾斜に従って増加する。そして、時刻ｔ1に於いて主コンデンサ２２がインダクタンス素子９1に流れる電流の全部を供給するようになると、電流Ｉ1(インダクタンス素子９1の正電圧側→Ｒ相→負荷３→Ｓ相→インダクタンス素子９2→主スイッチ素子１４a→ダイオード素子１３b→インダクタンス素子９1の負電圧側の順序で流れる電流)はゼロになる。
【００６０】
ダイオード素子１３bは、流れる電流がゼロになった後、逆バイアスされ、図４に示すように、主コンデンサ２２から、共振用チョーク３４及びインダクタンス素子９1を介して、負荷３に電流Ｉ2が供給される。
【００６１】
このように、ダイオード素子１３bは電流が流れなくなった後、逆バイアスされるので、リカバリー特性の影響を受けず、また、ダイオード１３bに起因するノイズが発生することもない。
【００６２】
副スイッチ素子３７が導通した状態では、電流Ｉ2が流れる共振用チョーク３４と、スイッチ装置１０内の共振用コンデンサ１０cとの間で共振回路が形成され、副スイッチ素子３７を流れる電流は、図５に示すように、主コンデンサ２２と共振用コンデンサ１０cから供給される電流Ｉ3の合計値になる。
また、副スイッチ素子３７を流れた電流の一部は、コンデンサ１３cを充電し、主コンデンサ２２に戻る。
【００６３】
次いで、共振用コンデンサ１０cが完全に放電すると、インダクタンス素子３４に逆起電力が生じ、インダクタンス素子３４に蓄積されたエネルギーにより、図６の符号Ｉ4に示す電流が、主スイッチ素子１０aに接続されたダイオード素子１０bに瞬間的に流れる。図９の符号ａは主スイッチ素子１０aの駆動波形、符号ｅは副スイッチ素子３７の駆動波形、符号ｃはその主スイッチ素子１０aの電流波形、符号ｄは、主スイッチ素子１０の両端の電圧波形を示している。
【００６４】
ダイオード素子１０bに電流Ｉ4が流れている間に主スイッチ素子１０aが導通し、主スイッチ素子１０aに順方向の電流が流れ始める(時刻ｔ3)。
【００６５】
このように、主スイッチ素子１０aが導通する際に、その主スイッチ素子１０aに並列接続された共振用コンデンサ１０cが完全に放電しており、両端の電圧が小さい状態で、主スイッチ素子１０aが導通するから、主スイッチ素子１０aの電力損失は小さくなっている。
【００６６】
主スイッチ素子１０aに流れる電流が十分大きくなる時刻ｔ4では、副スイッチ素子３７に流れる電流はゼロになる。その状態で副スイッチ素子３７を遮断させると、副スイッチ素子３７には電力損失は生じない。
【００６７】
その状態では、図７の電流Ｉ5に示すように、主コンデンサ２２から主スイッチ素子１０aを介して、負荷３に電流が供給される。その後、時刻ｔ5で主スイッチ素子１０aを遮断させると、順方向電流が流れるに連れ、共振用コンデンサ１０cに電流が流れ込み、主スイッチ素子１０aが充電され始め、その両端の電圧は徐々に上昇する。このため、主スイッチ素子１０aの電圧は徐々に上昇するため、ロスが小さくて済む。
【００６８】
共振用コンデンサ１０cが充電されると、その電圧分だけ、共振用コンデンサ１３cが放電する(図８)。主スイッチ素子１０aに流れる電流と両端の電圧は、それぞれ元の状態に戻る。
【００６９】
以上は、主コンデンサ２２の正極側に接続された主及び副スイッチ素子１０aに、３７ついて説明したが、負極側に接続された主及び副スイッチ素子１３a、４０についても、同様に動作し、印加電圧が小さい状態でオンするようになっている。
【００７０】
そして、インダクタンス素子９1、９3と三相パワーライン２の間には電流センサ７、８が挿入されている。制御装置２５は、負荷３に流れる電流を三相パワーライン２に接続した電流センサ４、５で検出し、アクティブフィルタ装置２４が供給又は吸収する電流をインダクタンス素子９1、９3側の電流センサ７、８で検出し、主及び副スイッチ素子１０a〜１５a、３７〜４２を制御し、高調波成分を吸収できるようになっている。
【００７１】
また、３相パワーライン２のうち、Ｒ相に接続された主スイッチ素子１０a及び副スイッチ素子３７について説明したが、Ｓ相、Ｔ相に接続された主及び副スイッチ素子１１a、１２a、１４a、１５a、３８、３９、４１、４２についても、同様である。
【００７２】
上記はセンタータップ型の二次巻線３１b〜３３bに対し、ダイオード４３〜４８を２個ずつ接続し、各二次巻線３１b〜３３bの電圧を全波整流したが、図１０に示すように、各二次巻線３１b〜３３bを非センタータップ型にし、それぞれ４個のダイオード５１1〜５１4、５２1〜５２4、５３1〜５３4で構成されたダイオードブリッジ５１〜５３を接続し、全波整流して主コンデンサ２２を充電するようにしてもよい。
【００７３】
更にまた、３相交流電圧ではなく、通常の商用電源が供給される場合についても、同様のアクティブフィルタ装置を設けることができる。図１１の符号２４'は、そのアクティブフィルタ装置であり、図２のアクティブフィルタ装置２４と同じ部材には同じ符号を付してある。
【００７４】
また、上記アクティブフィルタ２４、２４'は、一次巻線３１a〜３３aと、各一次巻線３１a〜３３aと磁気結合した二次巻線３１b〜３３bを設け、二次巻線３１b〜３３bに生じた電圧で、主コンデンサ２２を充電するようにしたが、必ずしも一次巻線３１a〜３３a及び二次巻線３１b〜３３bは必要ではない。要するに、主スイッチ素子に共振用コンデンサを並列接続させ、副スイッチ装置を導通させると、共振用コンデンサに共振用チョークが並列接続され、その間に共振電流を流し、主スイッチ素子両端の電圧が小さい状態で導通させるアクティブフィルタ装置であればよい。
【００７５】
【発明の効果】
主スイッチ素子の損失が小さくなる。
主スイッチ素子が導通又は遮断するときのノイズ発生が少なくなる。
【図面の簡単な説明】
【図１】本発明のアクティブフィルタ装置の一例
【図２】アクティブフィルタ装置内を流れる電流を説明するための図
【図３】副スイッチ素子導通後のアクティブフィルタ装置内に流れる電流を説明するための図
【図４】ダイオード素子に流れる電流が停止した後のアクティブフィルタ装置内に流れる電流を説明するための図
【図５】アクティブフィルタ装置内を共振電流が流れている状態を説明するための図
【図６】インダクタンス素子のエネルギー放出により流れる電流を説明するための図
【図７】主スイッチ素子導通後のアクティブフィルタ装置内を流れる電流を説明するための図
【図８】共振用コンデンサの放電電流を説明するための図
【図９】そのタイミングチャート
【図１０】ダイオードブリッジを用いた整流器
【図１１】本発明のアクティブフィルタ装置の他の例
【図１２】従来技術のアクティブフィルタ装置
【図１３】従来技術のアクティブフィルタ装置の動作を説明するためのタイミングチャート
【符号の説明】
１…電源
２…パワーライン
３…負荷
２２…主コンデンサ
９1〜９3…インダクタンス素子
１０a〜１５a…主スイッチ素子
１０b〜１５b…ダイオード素子
１０c〜１５c…共振用コンデンサ
２４…アクティブフィルタ装置
２５…制御装置
３１a〜３３a…一次巻線
３１b〜３３b…二次巻線
３４〜３６…共振用チョーク
３７〜４２…副スイッチ素子
４３〜４８、５１1〜５１4、５２1〜５２4、５３1〜５３4…整流器を構成するダイオード素子
【図１】
0003993704.tif 000002
【図２】
0003993704.tif 000003
【図３】
0003993704.tif 000004
【図４】
0003993704.tif 000005
【図５】
0003993704.tif 000006
【図６】
0003993704.tif 000007
【図７】
0003993704.tif 000008
【図８】
0003993704.tif 000009
【図９】
0003993704.tif 000010
【図１０】
0003993704.tif 000011
【図１１】
0003993704.tif 000012
【図１２】
0003993704.tif 000013
【図１３】
0003993704.tif 000014